(57)【要約】      （修正有）【課題】メカニカルスイッチとタッチパネルを混在させた操作入力装置におけるユーザの意に反した操作入力を防止する。【解決手段】メカニカルスイッチと、タッチパネルと、メカニカルスイッチ、タッチパネルのそれぞれを用いた操作入力の内容に応じた操作信号を生成する制御部と、を含む。制御部は、メカニカルスイッチから操作入力に対応した出力があったときに当該操作入力に対応した操作信号を生成するとともに、一定時間内はタッチパネルから操作入力に対応した出力があったときにも当該操作入力に対応した操作信号を生成しない。【選択図】図３
2015219815.tif 000002
【特許請求の範囲】
【請求項１】
メカニカルスイッチと、
タッチパネルと、
前記メカニカルスイッチ、前記タッチパネルのそれぞれを用いた操作入力の内容に応じた操作信号を生成する制御部と、
を含み、
前記制御部は、前記メカニカルスイッチから前記操作入力に対応した出力があったときに当該操作入力に対応した操作信号を生成するとともに、一定時間内は前記タッチパネルから前記操作入力に対応した出力があったときにも当該操作入力に対応した操作信号を生成しない、
操作入力装置。
【請求項２】
前記タッチパネルが静電容量型又は電界効果型である、
請求項１に記載の操作入力装置。
【請求項３】
前記メカニカルスイッチがダイアルスイッチ又はスライドスイッチである、
請求項１又は２に記載の操作入力装置。
【発明の詳細な説明】
【技術分野】
【０００１】
本発明は、タッチパネル等の操作部を用いたユーザによる操作入力の内容を検出する技術に関する。
【背景技術】
【０００２】
例えば、車両にはエアコンやオーディオ装置等を操作するための操作入力装置（コントロール部）が車室内に設けられている。このような操作入力装置においては、従来、主にダイヤル式のスイッチなどのメカニカルスイッチが多く用いられていたが、近年では、一部のスイッチが静電容量型などのタッチパネルに置き換えられている（例えば、特開２００８−３３７０１号公報参照）。
【０００３】
ところで、メカニカルスイッチは従来からの慣れた操作感をユーザへ与えることから、操作入力装置における全てのスイッチをタッチパネルに置き換えずに、メカニカルスイッチとタッチパネルを混在させる場合もある。この場合において、例えば製品デザインの観点から一部のメカニカルスイッチとタッチパネルが近接して配置されることもある。その場合に、ユーザがメカニカルスイッチを操作している際にそのメカニカルスイッチと近接するタッチパネルにもユーザの指が触れてしまうことで、ユーザの意に反した操作入力が行われるという不都合が生じ得る。
【先行技術文献】
【特許文献】
【０００４】
【特許文献１】特開２００８−３３７０１号公報
【発明の概要】
【発明が解決しようとする課題】
【０００５】
本発明に係る具体的態様は、メカニカルスイッチとタッチパネルを混在させた操作入力装置におけるユーザの意に反した操作入力を防止することが可能な技術を提供することを目的の１つとする。
【課題を解決するための手段】
【０００６】
本発明に係る一態様の操作入力装置は、（ａ）メカニカルスイッチと、（ｂ）タッチパネルと、（ｃ）前記メカニカルスイッチ、前記タッチパネルのそれぞれを用いた操作入力の内容に応じた操作信号を生成する制御部と、を含み、（ｄ）前記制御部は、前記メカニカルスイッチから前記操作入力に対応した出力があったときに当該操作入力に対応した操作信号を生成するとともに、一定時間内は前記タッチパネルから前記操作入力に対応した出力があったときにも当該操作入力に対応した操作信号を生成しない、操作入力装置である。
【０００７】
上記構成によれば、メカニカルスイッチとタッチパネルを混在させた操作入力装置におけるユーザの意に反した操作入力を防止することが可能となる。
【０００８】
上記の操作入力装置において、タッチパネルが静電容量型又は電界効果型であり、メカニカルスイッチがダイアルスイッチ又はスライドスイッチであってもよい。
【図面の簡単な説明】
【０００９】
【図１】図１は、一実施形態の操作入力装置の外観を模式的に示した平面図である。
【図２】図２は、操作入力装置の構成を示すブロック図である。
【図３】図３は、操作入力装置の動作手順を示すフローチャートである。
【発明を実施するための形態】
【００１０】
以下に、本発明の実施の形態について図面を参照しながら説明する。
【００１１】
図１は、一実施形態の操作入力装置の外観を模式的に示した平面図である。図１に示す操作入力装置は、車室内に設置され、ユーザがエアコン等に操作入力を行うために用いられるものであり、静電容量型のタッチパネル１０と、メカニカルスイッチの１つであるダイアルスイッチ１１と、その他動作状態を示すための表示部等を備えている。図示のように、タッチパネル１０とダイアルスイッチ１１とは互いに近接して配置されている。
【００１２】
図２は、操作入力装置の構成を示すブロック図である。操作入力装置は、タッチパネル１０、ダイアルスイッチ１１およびこれらと接続された制御部１２を含んで構成されている。制御部１２は、ＣＰＵ、ＲＯＭ、ＲＡＭ等を備えたコンピュータであり、所定の動作プログラムを実行することで、タッチパネル１０とダイアルスイッチ１１のそれぞれを用いた操作入力の内容を検出し、それに応じた操作信号を生成し、図示しない外部装置（エアコン等）へ出力する。
【００１３】
図３は、操作入力装置の動作手順を示すフローチャートである。なお、動作に矛盾や不整合が生じない限りにおいて処理ステップの前後関係を入れ替えることも可能であり、以下に示すのは一例に過ぎない。
【００１４】
制御部１２は、ユーザによる操作入力に対応したダイアルスイッチ１１からの出力があるか否かを判定する（ステップＳ１１）。
【００１５】
ダイアルスイッチ１１からの出力がある場合に（ステップＳ１１；ＹＥＳ）、制御部１２は、操作入力の内容を示す操作信号を生成し、図示しない外部装置へ出力する（ステップＳ１２）。
【００１６】
次に、制御部１２は、操作入力に対応したタッチパネル１０からの出力を一定時間だけキャンセルする（ステップＳ１３）。すなわち、制御部１２は、一定時間内において仮にタッチパネル１０からの出力があったとしても、それをなかったものと判断する。一定時間の経過後は、制御部１２は、ステップＳ１１へ戻る。なお、一定時間をどのように設定するかについては、操作入力装置の構造、用途等によっても異なるために一概にはいえないが、例えば数百ｍｓ程度とすることができる。
【００１７】
また、ステップＳ１１においてダイアルスイッチ１１からの出力がない場合に（ステップＳ１１；ＮＯ）、制御部１２は、ユーザによる操作入力に対応したタッチパネル１０からの出力があるか否かを判定する（ステップＳ１４）。タッチパネル１０からの出力がない場合に（ステップＳ１４；ＮＯ）、制御部１２は、ステップＳ１１へ戻る。
【００１８】
タッチパネル１０からの出力がある場合に（ステップＳ１４；ＹＥＳ）、制御部１２は、操作入力の内容を示す操作信号を生成し、図示しない外部装置へ出力する（ステップＳ１５）。その後、制御部１２は、ステップＳ１１へ戻る。
【００１９】
以上のような本実施形態によれば、ダイアルスイッチへの操作入力が行われている際には一定時間だけタッチパネルからの出力がキャンセルされるので、ダイアルスイッチの操作に伴ってユーザの指がタッチパネルに触れたとしても、ユーザの意に反した操作入力を防止することが可能となる。
【００２０】
なお、本発明は上述した実施形態の内容に限定されるものではなく、本発明の要旨の範囲内において種々に変形して実施をすることが可能である。例えば、上記した実施形態においては静電容量型のタッチパネルを例示していたが、これに代えて電界効果型のタッチパネルを用いてもよい。また、メカニカルスイッチとしてダイアルスイッチを例示していたが、スライドスイッチ等であってもよい。
【符号の説明】
【００２１】
１０：タッチパネル
１１：ダイアルスイッチ
１２：制御部
【図１】
2015219815.tif 000003
【図２】
2015219815.tif 000004
【図３】
2015219815.tif 000005